(57)【要約】【課題】情報表示媒体に画像を表示すると共に、表示を特性可能な画像情報が書き込まれているときに、複製されてしまうのを制限する。【解決手段】情報表示媒体１２には、画像を表示する画像表示部１６及びデジタルデータを記憶する記憶部１８と共に制限部４０が設けられている。制限部は、記憶部に書き込まれているデジタルデータが、画像表示部の表示画像を特定可能な画像情報であるときに、記憶部からこの画像情報が読み出されるのを禁止したり、他の情報表示媒体への書き込みを禁止するなどの制限を加える。これにより、画像表示媒体の表示画像が無闇に複製されているのを的確に防止できるようにしている。【選択図】        図１
2004287828.tif 000002
【特許請求の範囲】
【請求項１】
画像を表示する画像表示手段と、所定の情報をデジタルデータとして記憶する記憶手段と、を含む情報表示媒体であって、前記記憶手段に記憶されたデジタルデータが前記画像表示手段に表示した画像を特定可能であるときに、前記記憶手段から読み出したデジタルデータに基づいた画像表示を制限する制限手段を含むことを特徴とする情報表示媒体。
【請求項２】
前記制限手段が、前記記憶手段に記憶しているデジタルデータに対して、複製を制限する情報を付与することを特徴とする請求項１に記載の情報表示媒体。
【請求項３】
前記制限手段が、少なくとも前記記憶手段からの前記デジタルデータの読み出しを禁止することを特徴とする請求項１に記載の情報表示媒体。
【請求項４】
情報表示媒体の画像表示手段に画像を書き込み画像書込み手段及び、情報表示媒体の記憶手段にデジタルデータを書き込むデータ書込み手段を含む情報書込み装置によって情報表示媒体に画像ないしデジタルデータを書き込む情報書込み方法であって、
前記デジタルデータが前記情報表示媒体の画像表示手段に表示する画像を特定可能な情報であるときに、前記画像表示手段に書き込む画像ないし前記記憶手段に書き込むデジタルデータに、画像ないしデジタルデータの複製を制限可能とする情報を付加することを特徴とする情報書込み方法。
【請求項５】
前記制限が、前記記憶手段から前記デジタルデータが読み出されるのを禁止することを特徴とする請求項４に記載の情報書込み方法。
【請求項６】
情報表示媒体の画像表示手段に画像を書き込み画像書込み手段及び、情報表示媒体の記憶手段にデジタルデータを書き込むデータ書込み手段を含む情報書込み装置によって情報表示媒体に画像ないしデジタルデータを書き込む情報書込み方法であって、
前記記憶手段に書き込む前記デジタルデータに、複製を制限する情報が付加されているときに、前記デジタルデータの前記記憶手段への書き込みないし前記デジタルデータに基づいた画像の前記画像表示手段への書き込みを制限することを特徴とする情報書込み方法。
【請求項７】
前記制限が、前記記憶手段への前記デジタルデータの書込みを禁止することを特徴とする請求項６に記載の情報書込み方法。
【請求項８】
前記制限が、予め設定されている条件に基づいて、前記記憶手段に前記デジタルデータを書き込むことを特徴とする請求項６に記載の情報書込み方法。
【請求項９】
前記制限が、前記記憶手段に記憶されているデジタルデータの読み出し条件を設定して、該デジタルデータを前記記憶手段に書き込むことを特徴とする請求項６に記載の情報書込み方法。
【請求項１０】
前記制限が、前記情報表示媒体の画像表示手段に書き込む画像に所定の情報を付加することを特徴とする請求項６に記載の情報書込み方法。
【発明の詳細な説明】
【０００１】
【発明の属する技術分野】
本発明は、表示する文字や画像等を繰返し書換え可能な情報表示媒体及び、情報表示媒体に画像を含む情報を書き込む情報書込み方法に関する。
【０００２】
【従来の技術】
繰返し書換えが可能なシート状の画像表示媒体としては、Ｔｗｉｓｔｉｎｇ  Ｂａｌｌ  Ｄｉｓｐｌａｙ（２色塗分け粒子回転表示）、電気遊動、磁気遊動、サーマルリライタブル媒体、メモリ性を有する液晶などが提案されている。
【０００３】
また、液晶を用いてカード状に形成した画像表示媒体においては、デジタルカメラ等によって撮影した画像を表示したり、表示画像に対する付加情報を合わせて表示し、さらに、表示画像していないデータまでも記憶できるようにするとともに、表示画像やこれらのデータを任意に出力できるようにする表示システムが提案されている（例えば、特許文献１参照。）。
【０００４】
一方、画像表示媒体には、少なくとも一方が光透過性となっている一対の基板間に着色粒子を封入して、この着色粒子を一対の基板間で移動させて、画像を形成する所謂電子ペーパーでは、メモリ性を有し、かつ、繰返して画像を書き換えることができる。
【０００５】
このような画像表示媒体では、電力を用いずに画像を保持する機能を備え、画像を保持するための駆動装置が不要であるという利点があると共に、画像を書き換えることにより、使用済みとなる前の画像の廃棄の必要がなく、極めって利便性が高い。
【０００６】
ここから、画像表示媒体に表示した画像に、新たな画像を追記する画像表示媒体や、そのための画像形成装置まで提案されている（例えば、特許文献２参照。）。
【０００７】
さらに、表示画像を保持するメモリ性を備えた画像表示媒体には、表示画像を特定可能なデータを記憶可能する記憶手段を設け、各種の情報保持体として使用する方法が提案されている（例えば、特許文献３参照）。
【０００８】
これに加えて、情報保持体となる表示装置に、各種の情報を配信して、配信した情報を表示するシステムが提案されている（例えば、特許文献４参照。）。
【０００９】
ところで、このような画像表示媒体の利用法として、その携帯性、表示画像の書換えの利便性、表示画像を廃棄する作業が不要であるなどの特性から、催し物や施設等の各種チケット、有価証券としての利用、すなわち、チケットや有価証券などとなりうる画像の表示や表示画像を特定可能とする情報の記憶、機密情報の一時表示及び記憶などに用いることが可能であり、利用構想が大きく拡大している。
【００１０】
すなわち、単なる画像表示媒体としてではなく、各種の情報を表示する情報表示媒体としての利用構想が高まっている。
【００１１】
【特許文献１】
特開２００１−１８８４８２号公報
【特許文献２】
特開２００２−１４３８０号公報
【特許文献３】
特開２００２−２４８６５号公報
【特許文献４】
特開２００２−２４６７１号公報
【００１２】
【発明が解決しようとする課題】
しかしながら、このような情報表示媒体（画像表示媒体）には、各種のチケット、有価証券、著作権の存在する画像、表示するときに課金される画像、機密情報などの再利用や複製を禁止する必要のある画像を表示したり、この画像に伴う各種の情報の記憶、携帯などに利用される可能性がある。
【００１３】
このために、表示画像の複製や表示画像を特定可能とするデータなどの複製や再利用の禁止などの画像や情報の的確な管理が要求される。
【００１４】
本発明は上記事実に鑑みてなされたものであり、表示した画像の複製や表示画像を特定するデータの複製などの再利用を的確に規制することができる情報表示媒体及びその情報表示媒体に画像等の情報の情報書込み方法を提案することを目的とする。
【００１５】
【課題を解決するための手段】
上記目的を達成するための本発明の情報表示媒体は、画像を表示する画像表示手段と、所定の情報をデジタルデータとして記憶する記憶手段と、を含む情報表示媒体であって、前記記憶手段に記憶されたデジタルデータが前記画像表示手段に表示した画像を特定可能であるときに、前記記憶手段から読み出したデジタルデータに基づいた画像表示を制限する制限手段を含むことを特徴とする。
【００１６】
この発明によれば、制限手段を設けて、記憶手段に書き込まれているデジタルデータ（以下、「画像情報」とする）が、記憶手段から読み出されるときに制限を加える。
【００１７】
これにより、記録手段に記憶している画像情報及び画像情報に基づいた表示画像が複製されてしまうのを制限する。
【００１８】
このような制限は、前記記憶手段に記憶しているデジタルデータに対して、複製を制限する情報を付与する。これにより、画像情報に基づいた画像や画像情報の複製の制限が可能となる。
【００１９】
また、このような制限は、前記記憶手段からの前記デジタルデータの読み出しを禁止することが、最も好ましく、これにより、画像情報に基づいた情報表示媒体の表示画像の複製は勿論、画像情報が複製されてしまうのを確実に防止することができる。
【００２０】
本発明の情報書込み方法は、情報表示媒体の画像表示手段に画像を書き込み画像書込み手段及び、情報表示媒体の記憶手段にデジタルデータを書き込むデータ書込み手段を含む情報書込み装置によって情報表示媒体に画像ないしデジタルデータを書き込む情報書込み方法であって、前記デジタルデータが前記情報表示媒体の画像表示手段に表示する画像を特定可能な情報であるときに、前記画像表示手段に書き込む画像ないし前記記憶手段に書き込むデジタルデータに、画像ないしデジタルデータの複製を制限可能とする情報を付加することを特徴とする。
【００２１】
この発明によれば、情報表示媒体に画像と共に画像情報を書き込むときに、表示画像ないし画像情報の複製を制限する情報を、画像情報に付加して記憶手段に書き込む。
【００２２】
これにより、記憶手段に書き込まれた画像情報に対して、複製の制限を加えることができる。
【００２３】
このような本発明の情報書込み方法においては、前記制限が、前記記憶手段から前記デジタルデータが読み出されるのを禁止するものであっても良い。
【００２４】
また、本発明の情報書込み方法は、情報表示媒体の画像表示手段に画像を書き込み画像書込み手段及び、情報表示媒体の記憶手段にデジタルデータを書き込むデータ書込み手段を含む情報書込み装置によって情報表示媒体に画像ないしデジタルデータを書き込む情報書込み方法であって、前記記憶手段に書き込む前記デジタルデータに、複製を制限する情報が付加されているときに、前記デジタルデータの前記記憶手段への書き込みないし前記デジタルデータに基づいた画像の前記画像表示手段への書き込みを制限することを特徴とする。
【００２５】
この発明によれば、画像情報に複製を制限する情報が付加されているときに、画像表示手段への画像の書き込みや、記憶手段ではの画像情報の書込みに制限を加え、複製された画像が表示されてしまったり、画像情報が複製されて記憶手段に書き込まれてしまうのを制限する。
【００２６】
このような本発明の情報書込み方法としては、前記制限が、前記記憶手段への前記デジタルデータの書込みを禁止するものであっても良く、前記制限が、予め設定されている条件に基づいて、前記記憶手段に前記デジタルデータを書き込むものであっても良い。
【００２７】
これに加えて、前記制限が、前記記憶手段に記憶されているデジタルデータの読み出し条件を設定して、該デジタルデータを前記記憶手段に書き込むものであっても良い。
【００２８】
また、本発明の情報書込み方法においては、前記制限が、前記情報表示媒体の画像表示手段に書き込む画像に所定の情報を付加するものであっても良く、これにより、画像表示手段に表示されている画像が、複製された画像であることを明瞭に判別することが可能となる。
【００２９】
【発明の実施の形態】
以下に図面を参照しながら本発明の実施の形態を説明する。
〔第１の実施の形態〕
図１には、本発明の第１の実施の形態に適用した情報表示システム１０の概略構成を示している。この情報表示システム１０は、情報表示媒体１２と、この情報表示媒体１２へ表示画像を書き込む情報書込み装置としての情報書込み装置１４を含んで形成されている。
【００３０】
情報表示媒体１２は、画像表示部１６と、記憶部１８と、を含んで形成されている。情報表示媒体１２は、画像表示部１６に任意の画像を表示することができ、また、情報表示媒体１２の記憶部１８には、画像表示部１６に表示してい画像を特定可能な情報、表示画像に関連する情報等を含む各種の情報を、デジタルデータとして記憶可能となっている。
【００３１】
このような情報表示媒体１２としては、ＰＤＡ、携帯電話、液晶カード等の、液晶パネルなどの各種の画像表示手段を用いた画像表示部１６を含むと共に、デジタルデータを記憶する各種メモリなどの記憶手段を、記憶部１８に含むものであれば、従来公知の任意の構成を適用することができる。
【００３２】
また、情報表示媒体１２としては、所定間隔で対で配置された少なくとも一方が光透過性を有する基板間に着色粒子を封入し、この着色粒子を光透過性基板に付着させることにより形成する画素によって画像を形成する所謂電子ペーパー等を使用することがより好ましい。このような電子ペーパーは、駆動力を用いることなく、表示画像を保持することができ、また、繰返し書き換えが可能となっており、この電子ペーパーに、デジタルデータを記憶するためのメモリを持たせたものを情報表示媒体１２として適用することができる。
【００３３】
すなわち、情報表示媒体１２としては、各種の携帯情報端末、カード状表示端末、ペーパー状表示端末等を適用することができる。
【００３４】
書込み装置１４は、情報取得部２０と、情報取得部２０で取得した画像を情報表示媒体１２の画像表示部１６に書き込む画像書込み部２２と、情報取得部２０によって取得した画像に基づく情報等の各種の情報を情報表示媒体１２の記憶部１８に書き込むデータ書込み部２４と、画像書込み部２２及びデータ書込み部２４での書込みを制御する書込み制御部２６と、を含んで形成されている。
【００３５】
この書込み装置１４の情報取得部２０は、インターネット等の公衆通信回線、ＬＡＮ等の公知の方式で接続されている任意の情報処理装置から各種の情報、各種の画像、画像に基づいた情報、画像を特定可能な情報および各種の情報に基づいた画像などの所定のデータを取得する（取得情報ファイル２８）。
【００３６】
この情報書込み装置１４は、前記した情報表示媒体１２が装着されることにより、画像書込み部２２による情報表示媒体１２の画像表示部１６への表示画像の書き込みが可能となり、データ書込み部２４による情報表示媒体１２の記憶部１８へのデジタルデータの書込みが可能となる。
【００３７】
書込み制御部２６は、情報取得部２０によって取得した所定の情報（取得情報ファイル２８）に基づいた画像の書き込みないし、記憶部１８へのデジタルデータの書き込みを行う。
【００３８】
これにより、情報表示媒体１２の画像表示部１６には、情報取得部２０で取得した情報に応じた画像、情報に基づいた画像が表示される。また、情報表示媒体１２の記憶部１８には、情報取得部２０で取得した情報、取得した情報に基づいて生成された情報等が書き込まれる。
【００３９】
一方、情報表示媒体１２は、読取り装置３０に装着可能となっている。この読取り装置３０は、少なくともデータ読取り部３２を備えている。なお、読取り装置３０は、画像読取り部３４を含んでいても良い。
【００４０】
読取り装置３０に設けられる画像読取り部３２は、画像表示部１６の表示画像を読取る。また、読取り装置３０に設けられているデータ読取り部３２は、情報表示媒体１２の記憶部１８に記憶しているデジタルデータの読取りを行う。データ読取り部３２で読取られた情報は、読取り情報ファイル３６として、各種の情報処理端末や各種の情報書込み装置（情報書込み装置１４を含む）等へ出力される。
【００４１】
これにより、情報表示媒体１２の画像表示部１６の表示画像の複製、記憶部１８に記憶しているデジタルデータの複製が可能となっている。
【００４２】
このように構成されている情報表示媒体１２では、画像表示部１６の表示画像や記憶部１８に記憶するデジタルデータ（ソフト情報）の書き換えが可能であり、記憶部１８を合わせ持つことにより、記憶部１８に記憶しているデジタルデータから表示画像の再利用、追記、変更が容易であり、高い利便性を有している。
【００４３】
ところで、第１の実施の形態に適用した情報表示媒体１２には、制限部４０が設けられている。この制限部４０は、情報表示媒体１２を読取り装置３０に装着して、記憶部１８に記憶しているデジタルデータを読み出すときに、データの読出し又は読み出すデータに制限を加える。すなわち、制限部４０は、記憶部１８に記憶しているデジタルデータの複製を制限することにより、画像表示部１６の表示画像の複製を抑えるようにしている。
【００４４】
情報書込み装置１４では、情報取得部２０で取得した取得情報ファイル２８に基づいた画像を、情報表示媒体１２の画像表示部１６へ書き込む。また、取得情報ファイルにデジタルデータが含まれているときには、このデジタルデータを記憶部１８に書き込む。
【００４５】
これにより、情報表示媒体１２には、取得情報ファイル２８内の画像や情報が書き込まれる。この情報表示媒体１２は、読取り装置３０に装着されることにより、画像表示部１６の表示画像や、記憶部１８に記憶している情報が読取られる。
【００４６】
一方、情報表示媒体１２に書き込まれる情報（取得情報ファイル２８）には、例えばＵＲＬ（Ｕｎｉｆｏｒｍ  Ｒｅｓｏｕｒｃｅ  Ｌｏｃａｔｏｒｓ）等の表示画像の格納位置を特定する情報や、各種の催し物や施設などのチケットなどように所定のフォーマットで画像を表示するときの表示情報又は、そのフォーマットと表示情報など、表示画像を特定する情報（以下、この情報を特に「画像情報）とする）がある。
【００４７】
情報表示媒体１２に設けている制限部４０は、記憶部１８に記憶しているデジタルデータが、画像表示部１６の表示画像を特定する画像情報であるときには、少なくともこの画像情報が他の情報表示媒体に書き込まれて複製されるのを制限するために、タグ（ｔａｇ）などの予め設定している制御情報を付加する。
【００４８】
図２に示すように、情報表示媒体１２の記憶部１８から読取った読取り情報ファイル３６を書込み装置１４Ａへ送り、この書込み装置１４Ａによって、読取り情報ファイル３６に基づいた画像を、情報表示媒体１２Ａに書き込む。これにより、情報表示媒体１２の画像表示部１６の表示画像の複製、記憶部１８に記憶している情報の複製が行われる。
【００４９】
なお、情報表示媒体１２Ａは、情報表示媒体１２と同等の機能を有しているか、少なくとも画像表示部１６に相当する画像表示部１６Ａ及び記憶部１８に相当する記憶部１８Ａを備えたものであり、情報書込み装置１４Ａは、情報表示媒体１２Ａに、画像書込みが可能なものである。
【００５０】
ここで、情報書込み装置１４Ａは、読取情報ファイル３６の情報が、画像表示部１６Ａに表示する画像を特定する画像除法であれば、この画像情報に基づいて、情報表示媒体１２Ａの画像表示部１６Ａに画像を表示する。すなわち、読取り情報ファイル３６内の情報が、ＵＲＬなどのように表示画像の格納位置を示すものであれば、該当する情報を、その格納位置から読み込んで画像表示部１６Ａに書き込む。
【００５１】
これと共に、通常、情報書込み装置１４Ａは、読取り情報ファイル３６内の情報を記憶部１８Ａへ書き込む。このときに、読取り情報ファイル３６に複製を制限するタグが付与されていると、記録部１８Ａへの書き込みを中止する。
【００５２】
これにより、情報表示媒体１２Ａには、画像表示部１６Ａに、情報表示媒体１２の画像表示部１６の表示画像と同等の画像は表示されるが、記録部１８Ａには、画像情報がデジタルデータとして記録されない。
【００５３】
したがって、情報表示媒体１２Ａを読取り装置２８へ装着しても、画像表示部１６Ａの表示画像に応じた画像情報が、記録部１８Ａから読み出されて再複製されてしまうのを防止することができる。
【００５４】
このように構成することにより、たとえば、情報表示媒体１２を、チケットや有価証券、肖像権、著作権を有する画像の表示に用いたときにも、これらが複製されてしまうのを確実に防止することができる。
【００５５】
一方、画像データなどに比べて、ＵＲＬなどの画像データの格納場所等を示す情報は、データ量が極めて少なくて済む。
【００５６】
ここから、図３に示すように、最初にＵＲＬなどの画像データの格納場所を示す情報を、情報表示媒体１２の記憶部１８に書込み、この情報に基づいて、画像表示部１６に画像を表示することが考えられる。
【００５７】
このとき、最初に情報表示媒体１２の記憶部１８に情報を書き込んだときには、画像表示部１６には、画像が表示されていないかあるいは書き込んだ情報と異なる画像が表示されている。
【００５８】
このために、この情報表示媒体１２を読取り装置３０に装着したときには、制限部４０が書込み制限を行わずに読取った情報を、そのまま出力する。
【００５９】
これにより、情報書込み装置１４に、情報表示媒体１２を装着して、読取り装置３０で読取った情報を入力するときに、情報表示媒体１２の記憶部１８には、この情報がそのまま書き込まれる。また、情報書込み装置１４では、読取り装置３０によって読取った情報に基づいて、指定されている記憶装置４２から画像データ等を取得し、その画像を情報表示媒体１２の画像表示部１６に書き込む。
【００６０】
これにより、情報表示媒体１２では、画像表示部１６の表示画像に応じた画像情報が記憶部１８に記憶されたことになり、この後から、複製制限を加えることになる。
【００６１】
なお、第１の実施の形態では、情報表示媒体１２に制限部４０を設けて、この制限部４０が、タグ等を付与することにより記憶部１８に書き込まれている情報の複製を制限するようにしているが、複製制限は、タグ等に限らず、任意の方法で行うことができる。
【００６２】
すなわち、情報表示媒体１２の記憶部１８から、画像表示部１６の表示画像を特定可能な画像情報が読取られるときに、情報表示媒体１２上で、この画像情報の複製を制限可能とするものであれば任意の構成を適用することができる。
〔第２の実施の形態〕
次に本発明の第２の実施の形態を説明する。なお、第２の実施の形態の基本的構成は、前記した第１の実施の形態と同じであり、第２の実施の形態において第１の実施の形態と同一の部品には、同一の符号を付与している。
【００６３】
図４には、本発明の第２の実施の形態に適用した情報表示システム５０の概略構成を示している。なお、前記した第１の実施の形態では、表示画像の複製を、情報表示媒体１２で制限するようにしたが、第２の実施の形態では、情報書込み装置で制限することにより、複写の制限機能を備えていない簡単な構成の情報表示媒体が適用できるようにしている。
【００６４】
この情報表示システム１０には、情報表示媒体５２が用いられる。なお、情報表示媒体５２としては、前記した情報表示媒体１２の適用も可能であるが、少なくとも画像表示部１６と記憶部１８の基本構成を備えたものであれば良い。
【００６５】
一方、第２の実施の形態に適用した情報書込み装置５４は、前記した情報書込み装置１４の書込み制御部２６に加えて書込み制限部５６が設けられている。
【００６６】
この書込み制限部５６では、画像表示部１６に書き込む画像を特定可能な情報が、記録部１８に書き込まれるときに、この情報が記録部１８から読み出され得るのを制限できるタグ等を付加する。
【００６７】
このように構成することにより、情報表示媒体５２を読取り装置３０に装着しても、記録部１８に書き込んでいる情報が読み出されることがないか、又は、読取り装置３０が、記憶部１８に書き込まれている情報を読取り情報ファイル３６として出力することがないようにできる。
【００６８】
これにより、情報表示媒体５２の表示画像や記憶部１８に書き込んだ情報が複製されてしまうのを確実に防止することができる。
【００６９】
一方、書込み制限部５６で行う書込み制限は、情報表示媒体５２の記憶部１８に書き込まれた情報を読み出し、この情報（読取り情報ファイル３６）に基づいて情報表示媒体５２Ａに画像を表示したり、読取り情報に基づいた情報を情報表示媒体５２Ａの記憶部１８Ａに書き込むときに、作用するものであっても良い。
【００７０】
このときには、例えば、図５に示すように、書込み制限部５６に変えて、選択制限部５８を設けた情報書込み装置６０を用いることができる。なお、情報書込み装置６０は、情報書込み装置５４に、選択制限部５８を設けたものであっても良い。また、図５に示す情報表示媒体５２Ａは、情報表示媒体５２と同等の機能を備えたものであればよい。
【００７１】
この情報書込み装置６０に設けている選択制限部５８では、少なくとも情報表示媒体５２の記憶部１８に書き込む情報に対して、複製制限を加えるか否かを選択的に設定でき、書き込み制限を加えるようにしたときに、画像表示部１６Ａに画像を表示させなかったり、記憶部１８Ａに情報の書込みを行わないようにする。
【００７２】
また、選択制限部５８は、情報表示媒体５２の画像表示部１６への画像書き込みを選択しても良く、また、記憶部１８への情報の書き込みを選択するものであってもよい。
【００７３】
さらに、選択制限部５８では、課金条件の了承やパスワード入力によって記憶部１８Ａに書き込まれた情報の読出しを許可したり、読み出した情報に基づいた情報表示媒体５２Ａへの画像書き込み等を許可するように設定しても良い。
【００７４】
また、選択制限部５８は、画像表示部１６Ａの表示画像に対して、制限を加えるものであっても良い。この場合には、例えば図６に示すように、情報表示媒体５２Ａの画像表示部１６Ａに表示する画像に所定の加工を加えて、複製した画像であることを明確にするなど、元の画像と異なることが明確に判別できるようにすれば良い。
【００７５】
このようにして、情報表示媒体５２Ａへの的確な書込み制限を行うことにより、著作権などが設定されている不許複製情報の再利用を有効に制限することが可能となる。
【００７６】
一方、選択制限部５８は、画像表示部１６Ａへの画像表示を選択して設定するものであっても良い。すなわち、画像表示部１６Ａに画像を表示せずに、記憶部１６にその画像を特定可能な情報のみを書き込むように選択するものであっても良い。
【００７７】
この場合には、情報表示媒体５２Ａの記憶部１８Ａから読み出した情報に基づいて、画像表示部１６Ａに画像を表示するときに、制限を受けるようにすれば良い。
【００７８】
なお、以上説明した本実施の形態は、本発明の一例を示すものであり、本発明の構成を限定するものではない。例えば、情報表示媒体１２、５２の画像表示部１６の表示画像及び記憶部１８に書き込まれている情報の複製を防止するための制限は、情報表示媒体（例えば情報表示媒体１２）、最初に情報表示媒体に画像と共にその画像を特定可能とする情報を書き込む情報書込み装置（例えば、情報書込み装置５４）によって複製制限を加えるか、次に例えば情報書込み装置１４Ａ等を用いて画像表示を行うときに複製制限が加えられるように設定するものであれば良い。
【００７９】
また、複製制限を加えられた画像に対して、実際に複製制限を加えるのは、この情報に基づいて情報表示媒体（例えば情報表示媒体１２Ａ、５２Ａ）に画像を書き込むときに情報書込み装置（例えば、情報書込み装置１４Ａ、６０）で行うものであれば良い。
【００８０】
【発明の効果】
以上説明したように本発明によれば、情報表示媒体や最初に情報表示媒体に画像及び画像を特定可能な情報を書き込むときに、画像ないし画像特定可能な情報の複製を制限する。
【００８１】
これにより、画像表示媒体の表示画像や表示画像を特定可能とする情報が、無闇に複製されてしまうのを防止することができる。
【００８２】
また、本発明では、複製を制限する情報が付加されているときに、複製された画像が画像表示媒体に表示されたりするのを的確に防止することができるという優れた効果が得られる。
【図面の簡単な説明】
【図１】第１の実施の形態に係る情報表示システムの概略構成図である。
【図２】情報表示媒体からの画像情報の読取りの概略構成図である。
【図３】情報表示媒体から読取った画像情報に基づいた情報表示媒体への最初の書き込みを示す概略図である。
【図４】第２の実施の形態に係る情報表示システムの概略構成図である。
【図５】情報表示媒体から読取った画像情報に基づいた情報表示媒体への情報の書き込みを示す概略図である。
【図６】表示画像の制限の一例を示す概略図である。
【符号の説明】
１０、５０    情報表示システム
１２    情報表示媒体
１２Ａ、５２、５２Ａ    情報表示媒体
１４    情報書込み装置
１４Ａ  情報書込み装置
１６、１６Ａ    画像表示部（画像表示手段）
１８、１８Ａ    記憶部（記憶手段）
２２    画像書込み部（画像書込み手段）
２４    データ書込み部（データ書込み手段）
３０    読取り装置
４０    制限部（制限手段）
５４    情報書込み装置
５６    書込み制限部
５８    選択制限部
６０    情報書込み装置
【図１】
2004287828.tif 000003
【図２】
2004287828.tif 000004
【図３】
2004287828.tif 000005
【図４】
2004287828.tif 000006
【図５】
2004287828.tif 000007
【図６】
2004287828.tif 000008